(57)【要約】【課題】  様々な電子装置を制御することができ、将来生産される電子装置も遠隔制御の手段によって容易に制御可能とする遠隔制御方法及び装置を提供する。【解決手段】  少なくとも１つの電子装置の遠隔制御方法が提案されており、制御データが遠隔制御装置から電子装置に伝送される。この方法では、少なくとも制御されるべき電子装置の遠隔制御機能に関する情報データが遠隔制御装置に伝送される。これらの情報データは、遠隔制御装置において記憶され、各々の制御動作に必要な制御データを選択及び送信するために制御操作の間に呼び出される。少なくとも装置固有番号（ＧＩＤ）及び装置のタイプは、例えば、電子装置が電源システムに接続された後に、自動的に遠隔制御へ伝送される。さらに、電子装置だけでなく電子装置の遠隔制御装置も提案されている。【選択図】  図９
2007006534.tif 000002
【特許請求の範囲】
【請求項１】
テレビ装置、ビデオレコーダ、衛星受信機及びオーディオ装置の少なくとも１つの電子装置を一体的に制御するため、新規な電子装置をリモコン装置に登録する方法であって、
遠隔制御動作中、情報データから導出される各遠隔制御動作に必要な制御データを選択するため、前記制御データはリモコン装置から前記新規な電子装置に送信され、前記新規な電子装置の遠隔制御機能に関する情報データが前記リモコン装置に送信され、前記情報データは前記リモコン装置に格納及び評価され、
前記リモコン装置にリモコンタイプコードが割当てられ、前記リモコンタイプコードは、少なくとも制御対象の前記電子装置との制御要求メッセージの通信中に付随的に送信されることを特徴とする方法。
【請求項２】
請求項１記載の方法であって、
識別番号や装置タイプなどの前記情報データの少なくとも一部は、前記電子装置の電源システムへの接続後、前記電子装置から前記リモコン装置に自動的に送信されることを特徴とする方法。
【請求項３】
請求項１又は２記載の方法であって、
前記受信した情報データに基づき、前記リモコン装置において前記受信した情報データに対応するキー割当てが実行されることを特徴とする方法。
【請求項４】
請求項３記載の方法であって、
現在のキー割当てが表示されることを特徴とする方法。
【請求項５】
請求項１乃至４何れか一項記載の方法であって、
前記情報データはさらに、前記少なくとも１つの電子装置の入出力の可能性に関するデータを含むことを特徴とする方法。
【請求項６】
請求項１乃至５何れか一項記載の方法であって、
前記情報データは、標準的な通信プロトコルに従って前記電子装置に送信されることを特徴とする方法。
【請求項７】
請求項１乃至６何れか一項記載の方法であって、
前記電子装置の識別番号は、前記リモコン装置と前記電子装置との間の通信中に付随的に送信されることを特徴とする方法。
【請求項８】
請求項１乃至７何れか一項記載の方法であって、
前記リモコン装置は識別番号を有し、
該識別番号は、前記リモコン装置と前記電子装置との間の通信中に付随的に送信される、
ことを特徴とする方法。
【請求項９】
テレビ装置、ビデオレコーダ、衛星受信機またはオーディオ装置からなり、メモリと、送信回路と、受信回路と、制御ユニットとを有する電子装置であって、
該電子装置の少なくとも遠隔制御機能に関する情報データが、前記メモリに格納され、
該電子装置は、リモコンとの制御の下、該電子装置の新たな加入に応答して、異なるリモコン装置タイプに対する情報データの少なくとも１つのさらなるレコードを前記メモリに格納し、
該電子装置は、前記リモコンの受信したリモコンタイプコードに基づき要求される前記情報データのレコードの選択及び送信を行う手段と、該電子装置の識別番号と受信した通信メッセージに含まれる識別番号を比較する比較手段とを有する、
ことを特徴とする電子装置。
【請求項１０】
請求項９記載の電子装置であって、
該電子装置は、識別番号と、該電子装置の電源システムへの接続後、前記識別番号と装置タイプからなる該電子装置の情報データの少なくとも一部を自動的に送信する手段とを有することを特徴とする電子装置。
【請求項１１】
請求項９または１０記載の電子装置であって、
該電子装置の入出力の可能性に関する情報データは、該電子装置に格納され、
該電子装置は、前記情報データを前記遠隔制御機能に関する情報データに加えて送信する、
ことを特徴とする電子装置。
【請求項１２】
メモリと、送信回路と、受信回路と、表示ユニットと、オペレータユニットと、制御ユニットとを有し、少なくとも１つの電子装置の一体的に遠隔制御のための装置であって、
該装置は、新規な電子装置の遠隔制御機能に関する情報データの受信後、前記情報データを前記メモリに書き込む手段と、少なくとも制御対象の前記電子装置との制御要求メッセージの通信中に前記リモコンタイプコードを付随的に送信する手段とを有することを特徴とする装置。
【請求項１３】
請求項１２記載の装置であって、
前記リモコンタイプコードは、前記リモコン装置のタイプに関する情報を与えることを特徴とする装置。
【請求項１４】
請求項１３記載の装置であって、
前記リモコンタイプコードは、前記リモコン装置の表示可能性に関する情報を与えることを特徴とする装置。
【請求項１５】
請求項１２乃至１４何れか一項記載の装置であって、
該装置は、少なくとも１つの識別番号と、該識別番号と受信した通信メッセージに含まれる識別番号を比較する比較手段とを有することを特徴とする装置。
【請求項１６】
請求項１２乃至１５何れか一項記載の装置であって、
起動することにより、前記少なくとも１つの電子装置が、前記遠隔制御機能に関する前記電子装置に関する情報データを送信するよう要求される問い合わせコードを送信させる問い合わせキーを有することを特徴とする装置。
【請求項１７】
請求項１２乃至１６何れか一項記載の装置であって、
該装置は、前記少なくとも１つの電子装置の遠隔制御機能に関する情報データの受信後、前記受信した情報データに対応する制御ユニットにけるキー割当てを実行する手段を有することを特徴とする装置。
【請求項１８】
請求項１７記載の装置であって、
該装置は、制御キーの起動に応答して、該装置の現在のキー割当てに従って割当てられる制御コードを送信する手段を有することを特徴とする装置。
【請求項１９】
請求項１２乃至１８何れか一項記載の装置であって、
前記制御ユニットは、接触感知スクリーンとして構成される前記表示ユニットと一体的であることを特徴とする装置。
【発明の詳細な説明】
【技術分野】
【０００１】
本発明は、電子装置の遠隔制御方法、及び電子装置の遠隔制御装置、並びに電子装置に関する。
【０００２】
本発明は、独立クレーム１の一般的なタイプの電子装置の遠隔制御方法に基づくものである。
【背景技術】
【０００３】
電子装置の遠隔制御方法は、すでに米国特許第５，２８２，０２８号で開示されている。これから、種々の装置が遠隔制御によって制御されうるように、遠隔制御を設計することは知られている。特に、デジタルミュージックチューナーやいわゆるセットトップボックスは、遠隔制御によって制御される。同時に、遠隔制御から電子装置の１つへ、及び電子装置から遠隔制御への両者に発行するデータ伝送が可能である。受信可能なプログラムに関するデータは、デジタルミュージックチューナーから遠隔制御へ、対応する通信プロトコルによって伝送できる。これらのデータは次に遠隔制御の表示ユニット上に表示される。遠隔制御に関しては、プログラムされたメモリを含んでおり、そこには多くの異なる装置の遠隔制御機能に関する情報データが記憶されていることが記載されている。これらの装置の各々は、遠隔的に制御されうることに応じた別々の通信プロトコルを有している。様々な異なるタイプの装置が商業的に使用可能であるので、遠隔制御におけるメモリは各々の装置のタイプのための様々な異なる通信プロトコルを含まなければならない。
【特許文献１】米国特許第５，２８２，０２８号
【特許文献２】ＤＥ−Ｐ−３７１０２１８
【発明の開示】
【発明が解決しようとする課題】
【０００４】
ＤＥ−Ｐ−３７１０２１８は、制御される装置によって送信されるキーファンクション表示情報項目を一時的に記憶するためのキーファンクション及び表示メモリを有する遠隔制御について開示している。結果的に、制御される新たな装置が装備本体に追加されたとき、遠隔制御を修正する必要はない。ここで述べた遠隔制御の場合、一般的な装置コードは、始めに装置の制御のために送信される。その結果全ての能動的な装置は、それらの装置の識別を予め決められた時間の後送信する。全ての使用可能な装置は、遠隔制御の表示に表示される。利用者は、装置の１つを選択する。関連する装置の識別の受信に続いて、装置はその可能な制御機能を送信する。その結果、遠隔制御に表示された機能に応じて装置の制御を行うことができる。
【０００５】
本発明の目的は、電子装置の遠隔制御方法及び装置に特化しており、該方法及び装置は様々な電子装置を制御することができ、その意図は、将来生産される電子装置も遠隔制御の手段によって簡易に制御可能とされうることである。
【課題を解決するための手段】
【０００６】
請求項１の特徴を有する本発明に係わる方法は、電子装置の遠隔制御機能に関する情報データは遠隔制御のメモリの始めから記憶されるべきものではないという利点を有している。これらのデータは、電子装置から遠隔制御へ送信される。遠隔制御は、これらのデータをそのメモリに記憶し、従って、その後で電子装置を制御する。特に、制御される装備ベースの自動再構成は、装置が第１の時間で電源システムに接続されるときに、少なくともその装置の識別番号と装置タイプを送信するように行われる。
【０００７】
請求項１において特定化された方法の有利な展開及び向上が、独立項に記載されている手段によって可能である。従って、もし、電子装置の遠隔制御機能に関する情報データに加えて、電子装置の入力及び出力の可能性に関する情報データも遠隔制御に送信されるなら利点となる。この様に、例えば、ビデオテープからステレオカセットへの変換のようなマルチメディアの応用も、非常に容易に可能となる。他の例は、例えば、ステレオシステムを介して電話の呼出しを行うような異なる分野に以前に属していた一体の装置によって構成される。もし、例えば、電話の呼出しが到着したとき、次にこの遠隔制御に知らせることが可能であり、通信された入力／出力情報項目に基づいて、ステレオシステムを介してその呼を出力する選択を遠隔制御の表示に挿入することが可能である。利用者は、現在の無線プログラムを遠隔制御によってスイッチオフにし、ステレオシステムに電話の呼出しを切り替える。
【０００８】
電子装置の遠隔制御用装置に対しては、もし受信情報データに割り当てられた記号が遠隔制御の表示ユニットに表示されるなら大きな利点である。この様に、新たにシステムに一体化された装置の制御は、利用者にとって非常に簡単に構成されている。特別な工夫としては、遠隔制御表示ユニットがタッチ感覚の表示ユニットとして設計できる。制御機能に割り当てられた記号のみが、次にこの表示ユニットに表示される必要がある。そして、操作者は記号に触れることによって容易に対応する機能を起動することができる。
【０００９】
もし遠隔制御が付加的な問い合わせキーを有していれば、その動きの結果問い合わせコードが送信され、それと共に少なくとも１つの電子装置が遠隔制御機能に関するその情報データを通信するように要求されることも、同様に利点となる。その場合、もし、この問い合わせキーの動きに続いて、遠隔制御タイプコードが問い合わせコードに加えて送信されることも大きな利点となる。遠隔制御タイプコードによって、遠隔制御は次に遠隔制御のバージョンの電子装置を通知し、従って、遠隔制御の表示の可能性も利用可能となる。よって、電子装置は、特別機能コードのみか、或いは全体のグラフィカル情報項目のいずれかを遠隔制御へ送信することができる。
【００１０】
電子装置に対しては、電子装置の遠隔制御機能に関する情報データが格納されているメモリを有し、これらの情報データの少なくともいくつか（前述参照）を特に電源システムに接続された後に自動的に送信する手段を有することが特記する利点である。
【００１１】
もし、電子装置がそのメモリに入力及び出力の可能性に関する情報データを含み、これらのデータを遠隔制御機能に関する情報データに加えて送信すれば、それも大きな利点である。すでに上述したマルチメディアの応用が、この結果によって可能となる。
【００１２】
もし、制御される各々の装置が別々に指名されることを介して識別番号を持つようになればさらに大きな利点である。これによって、個々の装置が部分的に同じ制御機能を有しても誤った機能が避けられる。
【００１３】
電子装置が、メモリに遠隔制御機能に関する情報データの少なくとも１つのさらなる記録を格納しており、情報データのさらなる記録は、他の遠隔制御タイプのために供給されることは同様に利点となる。次に、使用されている遠隔制御に依存した異なるタイプの利用者ガイダンスを装置が提供することも可能となる。これによって、例えば、表示技術におけるような技術的な進行から付加的に離れることができる。
【発明の効果】
【００１４】
本発明によると、様々な電子装置を制御することができ、将来生産される電子装置も遠隔制御の手段によって容易に制御可能とする遠隔制御方法及び装置を提供することができる。
【発明を実施するための最良の形態】
【００１５】
本発明の典型的な実施例は、図面を参照して以下に詳細に説明する。図１は、デジタルデータ伝送チャネルを介して他と接続される種々の端末を示している。参照番号１０は、衛星受信機を示している。参照番号１１は、広帯域ケーブルネットワークに接続されているテレビジョンセットを示している。参照番号１２は、家宅アンテナに接続されているテレビジョンセットを示している。参照番号１３は、ファックス機を示している。参照番号１４は、モデムを示している。参照番号１５は、ワイヤアンテナを備えた無線装置を示している。参照番号１６は、広帯域ケーブルネットワークに同様に接続されている無線装置を示している。参照番号１７は、家宅アンテナに接続されている無線装置を示している。参照番号１８は、家宅における第３のテレビジョンセットを示している。参照番号１９は、ステレオシステムの増幅器を示している。参照番号２０は、ビデオレコーダを示している。参照番号２１は、ＣＤプレーヤ（この場合、ＣＤはコンパクトディスクを表す）を示している。参照番号２２は、プリンターを示している。参照番号２３は、電話機を示している。参照番号２４は、第４のテレビジョンセットを示している。参照番号２５は、コンピュータを示している。参照番号２６は、デジタルデータ伝送チャネルを示している。さらに、最後に最終段に接続されているものは、遠隔制御装置２７である。図示されている該装置は、例えば、家宅内に設けることができる。データ伝送チャネル２６は、少なくとも部分的にワイヤフリーの設計である。図示されている全ての装置１０〜２５は、遠隔制御装置２７によって遠隔的に制御可能である。
【００１６】
デジタル信号処理の導入に続いて、その間に図示されている全ての装置１０〜２５がデジタル的に動作する装置として得られるので、全てのこれらの装置は、デジタル伝送チャネルを介してデータを交換することができる。個別の装置の境界は、従って、大きく削除される。マルチメディア内部接続という用語によっても示される装備の内部接続が生成される。
【００１７】
図２は、図１と同じ装備の内部接続を図表的に示している。図２では、図１と同一の参照番号は同じ部品を示している。従って、これらの参照番号は再度説明はしない。参照番号２８は、通信インタフェースを示している。図２に図示した装置の各々は、このタイプの通信インタフェースを含んでいる。このタイプの通信インタフェース２８は、従来技術において十分に開示されている。ＲＳ２３２で示されるシリアルインタフェース、或いはその他にＩＩＣバスインタフェース（インター・インテグレイティド・サーキット）、或いはＣＡＮバスインタフェース（コントローラ・エリア・ネットワーク）が参照され、これらはコンピュータ技術において広い用途に享受されている。通信インタフェース２８は、規格化されたデータ伝送プロトコルを実現する回路を含んでいる。このような伝送プロトコルも、プログラミング手段やマイクロコンピュータによって実現することができる。
【００１８】
遠隔制御２７の外観が、図３にさらに詳細に図示されている。参照番号３０は、遠隔制御２７の表示ユニットを示している。参照番号３１は、キーパッドを示している。キーパッド３１は、自由にプログラム可能なキーパッドを表している。参照番号３２は、さらにキーパッドを示している。そこに含まれているキーは、固定的にプログラムされており、それらは各々特定の機能に割り当てられている。この場合の参照番号３３は、選択キーを示している。制御される装置は、この選択キーを用いて選択される。選択キー３３は、繰り返し動かしうる。選択キー３３が動かされる毎に、異なる制御可能な装置の記号が表示ユニット３０に表示される。参照番号３４は、問い合わせキーを示している。制御可能な装置の情報データは、この問い合わせキー３４によって問い合わせることができる。このキーは、さらに他の装置が図２に示されている装備の内部配線に加えられるときはいつでも動かされる。この問い合わせ動作は、下記にさらに詳細に説明する。  参照番号３５は、制御要求キーを示している。このキーは、制御される所望の装置が選択キー３３を用いて選択されたとき、動かされる。制御要求キー３５を押すことによって、次に制御要求コードが制御される装置に通信される。このコードを用いて、対応する装置は、続いて制御されることを認識し、かつこのコードに応答し、その制御機能に関するその特定の情報データを通信する。この動作も、下記に詳細に説明する。キーパッド３２において、さらに固定的にプログラムされたキーを設けることは可能である。
【００１９】
ここで、図４は、表示ユニット３０において表示され、ＣＤプレーヤの遠隔制御のために設けられている画像を示している。ＣＤ記号４０は、表示された画像がＣＤプレーヤの遠隔制御に応用可能であることを示している。参照番号４１は、再生記号を示している。参照番号４２は、一時停止記号を示している。参照番号４３は、早送りのための記号を示し、かつ参照番号４４は、早戻しのための記号を示している。参照番号４５は、前方向スキップ記号を示し、参照番号４６は、逆方向スキップ記号を示している。最後に、参照番号４７は、停止記号を示している。前記記号４１〜４７は、各々利用者に対してＣＤプレーヤの可能な制御機能を示している。ＣＤプレーヤのさらなる機能のためのさらなる記号はここでは設けられることは言及しないで進める。記号４１〜４７の配置は、自由にプログラム可能なキーパッド３１におけるキーの配置と一致するようにしてある。表示ユニット３０の上段左隅における再生記号の配置は、遠隔制御２７の利用者に、例えば、自由にプログラム可能なキーパッド３１における上段左のキーを押すことによって彼がＣＤプレーヤの再生機能を動かしているということを知らせる。同じことが図示された記号４１〜４７に対応的に当てはまる。
【００２０】
図５は、遠隔制御２７のブロック構成図を示している。参照番号５０は、受信回路を示している。このタイプの受信回路は、従来技術において十分に開示されている。受信回路は、赤外線放射用のものである。受信回路５０は、マイクロコンピュータ５２に接続されている。送信回路５１がさらに設けられている。送信回路も一般的には従来技術において開示されている。送信回路も同様に、赤外線放射用のものである。送信回路５１も、マイクロコンピュータ５２に接続されている。操作者ユニット５３が、さらに設けられている。キーパッド３１及び３２は、操作者ユニット５３に接続されている。操作者ユニット５３もまた、マイクロコンピュータ５２に接続されている。さらに、メモリユニット５４も設けられている。マイクロコンピュータ５２は、双方向バスを介してメモリユニット５４へのアクセスを有している。最後に、表示ユニット３０も図示されている。表示ユニット３０は、同様にマイクロコンピュータ５２に接続されている。メモリユニット５４は、データメモリとして使用される。マイクロコンピュータ５２は、付加的にプログラムされたメモリを有しており、そこには、従来技術において十分に開示されているように、上述したデータ伝送プロトコルが記憶されている。  ここで、図６は、ＣＤプレーヤ２１のブロック構成図を示している。しかし、この場合、通信インタフェース２８に関する部分のみが、より詳細に図示されている。ＣＤプレーヤの残りの部分は、従来技術から良く知られている。図６における参照番号は、図５における参照番号に対応し、それぞれ同じ部品を示している。説明していない双方向バスは、マイクロコンピュータ５２から出て、ＣＤプレーヤのコントローラに導く。
【００２１】
問い合わせキー３４が動かされた後、遠隔制御装置２７において進む動作は、下記により詳細に議論する。この動作は、図７に示されている。
【００２２】
参照番号６０は、プログラムの開始を示しており、問い合わせキー３４の動きによって開始される。問い合わせコードは、プログラムステップ６１において送信される。問い合わせコードは、問い合わせメッセージと共に送信される。
【００２３】
問い合わせメッセージの構造は、図１１に図示されている。スタートビット（図示されていない）の後に、遠隔制御の識別番号がソースアドレスとして入力されているソースアドレスフィールド１００が続く。ソースアドレスフィールド１００の後に、制御フィールド１０１が続く。メッセージが評価される方法が、ここに入力されているコードによって、この制御フィールド１０１に定義されている。従って、この制御フィールド１０１は、以下に続くフィールドの構造、特に該フィールドの長さ及び意味を決定する。制御フィールド１０１の後には、目的アドレスフィールド１０２が続く。その情報データがすでにより早い問い合わせ動作の間において読みだされている電子装置の識別番号が、このフィールドに入力されている。次に目的アドレスフィールド１０２のアドレスの後には、データフィールド１０３が続く。問い合わせコードは、後者に記憶されている。従って、問い合わせメッセージを受信する装置は、問い合わせ動作が行われており、それに応じて反応すべきであることを通知される。次に、データフィールド１０３の後にも、チェックコードフィールド１０４が続く。後者には、メッセージのエラーフリー伝送を検証するために使用しうるチェックサムが記憶されている。最後に続くものは停止ビットであるが、それは図１１には示されていない。
【００２４】
プログラムステップ６１において送信された問い合わせコードは、従って特定の電子装置のために向けられ、この電子装置によってのみ受け付けられる。プログラムステップ６２においては、遠隔制御は、指定された装置の用意されたメッセージを待つ。もし、このメッセージが予め決められた時間内に受信された場合、プログラムはプログラムステップ６１と共に続けられ、その場合、しかしながら、次に、装置コードがすでに前もって遠隔制御のメモリに入力されているさらなる電子装置の問い合わせが行われる。もし、プログラムステップ６２において対応する応答メッセージが予め決められた時間内に遠隔制御に到着しない場合は、関連する装置コードはメモリ５４におけるリストから削除される。これは、プログラムステップ６３において行われる。以下のプログラムステップにおいては、問い合わせメッセージは同様に、その装置コードが遠隔制御のメモリ５４において制御される装置のリストに入力されている他の外部の装置に通信される。最後の装置がその用意されたコードを通信した後、プログラムステップ６４において、さらなる問い合わせメッセージの送信が行われる。
【００２５】
この問い合わせメッセージの構造は、同様に図１１に図示されている。このメッセージは、上述した問い合わせと同じ構造を有している。違いは、一般的な装置コードが目的アドレスフィールド１０２に入力されていることである。このコードから、予め決められた時間内にそれらに向けられた問い合わせメッセージと前もって一致しなかった全ての外部の装置が、それらが応答メッセージを送信するように要求されていることを認識する。次に、それらは、直ちにそれらの応答メッセージを遠隔制御装置２７に通信する。プログラムステップ６５においては、従って、遠隔制御装置２７はさらなる応答メッセージの到着を待つ。このようなメッセージが到着したとき、関連する装置コードは同様にメモリ５４における遠隔的に制御可能な装置のリストに入力される。次に、これは、プログラムステップ６６において行われる。複数の装置が同時にそれらの応答メッセージを送信することが生じた場合、誤った機能が確実に起こらないようにしなければならない。従って、遠隔的に制御可能な各装置で、その装置コードが遠隔制御２７のメモリ５４に遠隔的に制御可能な装置のリストにまだ入力されていないものは、ランダム数を発生し、該ランダム数は、各装置がその応答メッセージを送信するまでの期間を決定する。このように、次にデータの衝突が可能な限り避けられる。最後の装置がその応答メッセージをプログラムステップ６７において送信した後、プログラムのこのセクションは、プログラムステップ６８において終了する。もし、プログラムステップ６５において予め決められた最大時間の後で、さらなる応答メッセージが遠隔制御２７によって受信されなければ、プログラムは、プログラムステップ６８によって直接終了する。
【００２６】
ここで、図８は、問い合わせメッセージを受信した後の電子装置１０〜２５の一部のプログラムシーケンスを示している。参照番号７０は、プログラム開始を示している。これは、問い合わせメッセージの受信によって開始させられる。プログラムステップ７１においては、受信したメッセージは、目的アドレスフィールド１０２にこの装置のアドレスを含んでいるかを見るために徹底的にチェックされる。もし、このアドレスが目的アドレスフィールド１０２に含まれている場合、プログラムステップ７２において、データフィールド１０３が問い合わせコードを含んでいるかを見るための問い合わせが行われる。もし、これが同様の場合、次に応答メッセージが遠隔制御２７に戻るように送信される。これは、次にプログラムステップ７３で行われる。この後、プログラムはプログラムステップ７４において終了する。もし、問い合わせ７１において関連する装置のアドレスが目的アドレスフィールド１０２に入力されていないことが判明されたときは、プログラムステップ７５において、一般的な装置アドレスが対応する目的アドレスフィールド１０２に入力されているかを見るための問い合わせが行われる。もし、これがその場合であるとき、プログラムはプログラムステップ７２と共に続けられる。もし、これがその場合でないとき、プログラムが直ちにプログラムステップ７４において終了する。
【００２７】
図１２は、応答メッセージの構造を示している。その構造は、基礎的には図１１におけるものと同じである。同じ参照番号は、図１１におけるものと同じものを示している。しかし、応答メッセージでは、装置識別番号は、ソースアドレスフィールド１００において入力される。遠隔制御の識別番号は、次に目的アドレスフィールド１０２において目的アドレスとして入力される。
【００２８】
ここで、図９は、制御要求キー３５の動きに続いて遠隔制御装置２７によって実行されるプログラムのためのフロー図を示している。参照番号８０は、プログラム開始を示している。参照番号８１は、次のプログラムステップを示し、そこでは制御要求メッセージが選択された装置に送信される。この制御要求メッセージの構造は、図１３に図示されている。このメッセージの特別な特徴は、データフィールド１０３における制御要求コードだけでなく、遠隔制御タイプコードが付加的に送信されることである。データフィールド１０３は、以前の場合よりもこの場合の方が長いので、対応する制御コードも制御フィールド１０１に入力されなければならない。遠隔制御の識別番号は、ソースアドレスフィールド１００において入力され、装置識別番号は、目的アドレスフィールド１０２において入力される。以下のプログラムセクション８２においては、制御情報メッセージの評価があり、該制御情報メッセージは次に指示された装置から遠隔制御へ送信される。送信された制御情報項目の評価は、次に情報メッセージと共にプログラムステップ８３において行われる。この場合、送信された機能コード及び意味コードは、遠隔制御のメモリ５４に入力される。次に、表示も、受信データに応じて、例えば図４に図示するように再構成される。しかし、これに必要とされるプログラムセクションは、既に従来技術に開示されており、この点においては再び説明する必要はない。この後、プログラムはプログラムステップ８４において、キーパッド３１のキーの動きを待つ。キーが動いたとき、関連する制御コードがプログラムステップ８５において電子装置に送信される。次にこのプログラムは、他の機能キーの動きによってそれが終了するまで、プログラムステップ８４と共に続けられる。
【００２９】
ここで、図１０は、制御要求メッセージを受信した電子装置のためのフロー図を示している。プログラムは、プログラムステップ９０において開始される。問い合わせ９１においては、受信した制御要求メッセージが、遠隔制御タイプのコードや関連する装置の識別番号だけでなく制御要求コードを含んでいるかを見るためにチェックが行われる。もし、これがそのような場合のとき、前述の情報メッセージは、遠隔制御装置２７に送信される。これは、次にプログラムステップ９２において行われる。
【００３０】
情報メッセージの構造は、図１４に図示されている。装置識別番号は、このメッセージのソースアドレスフィールド１００に入力されている。遠隔制御識別番号は、このメッセージの目的アドレスフィールド１０２に入力されている。情報メッセージのための制御コードは、制御フィールド１０１に入力されている。装置の遠隔制御機能の機能コードや意味コードは、次にこのメッセージのデータフィールド１０３に順次的に入力される。各装置の入力或いは出力の可能性に関する情報項目は、データフィールド１０３に付加的に入力することができる。このタイプの情報項目は、例えば、ビデオレコーダの場合、この装置が以下のオーディオ情報項目用入力：即ち、ステレオチャネル、モノチャネル、及び５チャネルドルビーサラウンドプログラム用入力、を有するという情報である。ビデオ情報項目に関しては、特定化された入力の可能性は、ＰＡＬ標準に応じた、及び／又は、ＰＡＬプラス標準に応じた、「ビデオデータ用入力」という情報でありうる。入力情報に関するのと同様の詳細なことが、次に出力情報として与えられる。テレビジョン受信機に対して、これらの入力及び出力情報項目は、次に以下の形式を有する、例えば：入力の可能性、モノ入力及びステレオ入力が、オーディオデータのために利用可能とされる。ＰＡＬ、及び／又は、ＰＡＬプラス入力は、ビデオデータのための入力の可能性として利用可能とされる。この場合、同じ情報項目が、次に出力の可能性として検討される。さらに、テレビジョン受信機の復号テレテキストデータに対する能力もまた、出力の可能性として検討される。  制御情報項目が遠隔制御に送信された後、プログラムは、問い合わせ９３において制御機能メッセージが到着したかを見るために待つ。もし、これがこの場合のとき、対応する制御コードに割り当てられている機能が実行される。これは、次にプログラムステップ９４において行われる。このプログラムセクションは、次にプログラムステップ９５において終了する。
【００３１】
図１５は、制御機能メッセージの構造を示している。送信された制御コードは、データフィールド１０３に入力される。遠隔制御の識別番号は、ソースアドレスフィールド１００に入力される。装置識別番号は、目的アドレスフィールド１０２に入力される。
【００３２】
典型的な実施例では、専用の識別番号が各遠隔制御及び各電子装置に割り当てられると思われた。個々の装置は、この番号を用いて区別することができる。この番号は、２重の割当てが起こらないように連続的に選択されなければならない。この典型的な実施例を修正する１つの可能な方法は、種々の装置に特定のタイプの識別番号を付与することである。従って、例えば、１つのタイプのステップのテレビジョンセット、及び１つのタイプのＣＤプレーヤ、或いは１つのタイプの遠隔制御等に同じ識別番号を付与することが可能である。次に、２つの一致した装置がマルチメディアの内部接続において現れると、それらの違いのみによってしか区別することができない。これによって、全ての装置はそれらの応答メッセージにおいて名前の提議を遠隔制御に送信することが必要となる。もし、遠隔制御がそのような名前がすでにメモリに存在すると判断した場合、異なる名前が自動的に選択されることになり、また、別のメッセージで制御される装置に通信されることになる。そして、この方法によって、混同を避けることができる。各装置は、それ以後においてはそれぞれの名前で返答しなければならない。
【００３３】
さらに、本発明の広範囲の種々の変更が可能である。従って、例えば、マルチメディアの内部接続に新たに加えられた装置は、その情報データを遠隔制御の一部の問い合わせのみに通信しないで、電源システムに接続された後に自動的に通信することが可能である。
【００３４】
情報データは、必ずしも遠隔制御装置にワイヤーフリーの態様で送信されなければならないことはない。もし、例えば、装備の内部接続の個々の装置が異なる部屋に収容され、全ての装置が別々のデータネットワークを介して互いに接続されていれば、情報データもこのデータネットワークを介して遠隔制御装置に送信することができる。そして遠隔制御装置は同様にこのデータネットワークに接続されなければならない。電源システムもデータネットワークとして見なすことができる。どの場合においても、装置は、前記電源システムに接続される。遠隔制御装置も同様に電源システムに接続されなければならない。電話ネットワーク、或いは無線ネットワークも、情報項目を伝送するためのデータネットワークとして使用することができる。その結果、応用分野も、例えば、遠隔制御によってアラームシステムや或いは加熱装置のスイッチを入れるというような遠隔制御機能を含むように広がる。最後に、遠隔制御は、携帯型設計にも、一方赤外線送信機を有さない非常に多くの装置の情報データを受信するために、データネットワークを介したデータ受信用インタフェース（電源システム）を持つようにも設計することができる。遠隔制御装置は、この目的のために一時的にデータネットワークに接続される。これらのデータが受信された後、装置がこのために設計されていれば、ワイヤーフリーの態様で装置を制御することができる。
【００３５】
同様に、個々の装置１０〜２５が、同じ通信プロトコルに従って互いにデータを交換することも可能である。このようなデータは、例えば、ビデオデータやオーディオデータでありうる。しかし、そのデータは、例えばビデオレコーダのプログラミングに関する選択されたデータでもよい。
【００３６】
機能コードや意味コードを遠隔制御に送信する代わりに、表示ユニット３０を駆動するグラフィカルデータも送信することができる。そして個々のデータはビットマップの情報項目であり得る。そしてこれらのデータは、タッチ感覚のスクリーン上に表示することができる。操作者は次に、スクリーンの対応する領域を触れるのみで、遠隔制御装置が初期化される。遠隔制御での受信データの音声出力もまた可能である。
【００３７】
さらに可能な変更は、問い合わせメッセージの受信の後できるだけ早く遠隔制御装置へ送信される情報データにある。遠隔制御はこれらのデータを直ちにメモリに格納する。個別の制御要求キーは必要とされない。しかし、大きなメモリが必要とされる。
【００３８】
数個の個々の遠隔制御機能に関する個々の特定の情報データのみを遠隔制御装置へ送信することでさえ、さらに本発明の範囲に含まれる。
【図面の簡単な説明】
【００３９】
【図１】データ送信チャネルによる複数の電子装置の内部接続を示す図である。
【図２】電子装置の伝送チャネルへの接続を示す概略的なブロック系統図である。
【図３】遠隔制御装置の外観を示す模式図である。
【図４】遠隔制御装置の表示ユニット上のＣＤプレーヤの可能な遠隔制御機能の表示を示す図である。
【図５】遠隔制御装置の概略的なブロック系統図である。
【図６】電子装置の概略的なブロック系統図である。
【図７】制御可能な装置の問い合わせのための遠隔制御装置のプログラムのフローチャート図である。
【図８】問い合わせコードの受信に続いて実行される電子装置のプログラムのフローチャート図である。
【図９】電子装置の制御要求のために実行される遠隔制御装置のプログラムのフローチャート図である。
【図１０】電子装置における制御要求の受信に続いて実行されるプログラムのフローチャート図である。
【図１１】遠隔制御装置から送信される問い合わせメッセージの構成を示す図である。
【図１２】問い合わせメッセージの受信に続く電子装置から送信される応答メッセージの構成を示す図である。
【図１３】遠隔制御装置から送信される制御要求メッセージの構造を示す図である。
【図１４】制御要求メッセージの受信に続く電子装置から送信される情報メッセージの構造を示す図である。
【図１５】遠隔制御装置から送信される制御機能メッセージの構造を示す図である。
【符号の説明】
【００４０】
１０  衛星受信機
１１、１２  テレビジョンセット
１３  ファックス機
１４  モデム
１５、１６、１７  無線装置
１８  テレビジョンセット
１９  増幅器
２０  ビデオレコーダ
２１  ＣＤプレーヤ
２２  プリンター
２３  電話機
２４  テレビジョンセット
２５  コンピュータ
２６  デジタルデータ伝送チャネル
２７  遠隔制御装置
２８  通信インタフェース
３０  表示ユニット
３１、３２  キーパッド
３３  選択キー
３４  問い合わせキー
３５  制御要求キー
４０  ＣＤ記号
４１  再生記号
４２  一時停止記号
４３  早送り記号
４４  早戻し記号
４５  前方向スキップ記号
４６  逆方向スキップ記号
４７  停止記号
５０  受信回路
５１  送信回路
５２  マイクロコンピュータ
５３  操作者ユニット
５４  メモリユニット
【図１】
2007006534.tif 000003
【図２】
2007006534.tif 000004
【図３】
2007006534.tif 000005
【図４】
2007006534.tif 000006
【図５】
2007006534.tif 000007
【図６】
2007006534.tif 000008
【図７】
2007006534.tif 000009
【図８】
2007006534.tif 000010
【図９】
2007006534.tif 000011
【図１０】
2007006534.tif 000012
【図１１】
2007006534.tif 000013
【図１２】
2007006534.tif 000014
【図１３】
2007006534.tif 000015
【図１４】
2007006534.tif 000016
【図１５】
2007006534.tif 000017